(57)【要約】【課題】電流電圧変換回路の変換抵抗として抵抗値の小さいものを用いても正確な火災判定が可能となる煙感知器を提供する。【解決手段】センサ出力処理部２は、演算増幅器ＯＰ１の反転入力端子と出力端子との間に変換抵抗Ｒ１が接続された構成の電流電圧変換回路５を有し、フォトダイオードＰＤからの入力電流Ｉｉｎの変動に応じて変動する出力電圧Ｖｏｕｔを出力する。演算処理部３は、ＬＥＤ８が光を出力する期間内に設定されているサンプリングタイミングで出力電圧Ｖｏｕｔの瞬時値を抽出し、複数回のサンプリングタイミングで抽出された瞬時値の平均値を求める平均化手段９と、当該平均値に基づいて検知空間内の煙の有無を判定する判定手段１０とを有する。【選択図】図１
2010160750.tif 000002
【特許請求の範囲】
【請求項１】
検知空間に向けて間欠的に光を出力する発光部と、発光部からの直接光は入射せず検知空間内に流入した煙により拡散反射された発光部からの光が入射する位置に配置され、光を受光して電流に変換する受光部と、受光部から入力される入力電流を当該入力電流の変動に応じて電圧値が変動する出力電圧に変換するセンサ出力処理部と、前記出力電圧に基づいて検知空間内の煙の有無を判定する演算処理部とを備え、センサ出力処理部は、反転入力端子と出力端子との間に変換抵抗が接続された演算増幅器を具備し、反転入力端子から入力される入力電流に応じた電圧を出力端子に出力する電流電圧変換回路を有しており、演算処理部は、発光部が光を出力する期間内に設定されているサンプリングタイミングで前記出力電圧の瞬時値を抽出し、複数回のサンプリングタイミングで抽出された瞬時値の平均値を求める平均化手段と、平均化手段で求めた平均値に基づいて検知空間内の煙の有無を判定する判定手段とを有することを特徴とする煙感知器。
【発明の詳細な説明】
【技術分野】
【０００１】
本発明は、火災時に発生する煙を感知し発報する煙感知器に関するものである。
【背景技術】
【０００２】
従来から、この種の煙感知器Ａとして、図４（ａ）に示すようにハウジング２０内に検知空間を有し、この検知空間に向けて間欠的に光を出力するＬＥＤ（発光部）８と、ＬＥＤ８からの直接光が入射しない位置に配置され受光した光を電流に変換するフォトダイオード（受光部）ＰＤとを備えたものが知られている（たとえば特許文献１参照）。この煙感知器Ａでは、検知空間内に煙が流入すると、ＬＥＤ８からの光が検知空間内の煙で拡散反射されることによりフォトダイオードＰＤでのＬＥＤ８からの光の受光量が増加し、フォトダイオードＰＤから出力される電流量が増加する。
【０００３】
ＬＥＤ８およびフォトダイオードＰＤは、ＬＥＤ８の前方に配置された投光レンズ２３およびフォトダイオードＰＤの前方に配置された受光レンズ２４と共に光学ブロック２５を構成する。ハウジング２０は、下面に開口部が形成され当該開口部に向けてＬＥＤ８からの光が出射されるように光学ブロック２５を収納したボディ２６と、上面開口の有底円筒状であってボディ２６の開口部を覆うようにボディ２６に結合されるカバー２７とを備えている。カバー２７の周壁には煙を取り込むための開口窓が形成されており、カバー２７内に前記検知空間が形成される。ここでカバー２７内には、検知空間への虫の侵入を防止する防虫網２８、および検知空間への外乱光の入射を防止するラビリンス２１が検知空間を包囲するように配置される。ラビリンス２１は、蛍光灯や白熱灯などからの様々な外乱光の入射を防止するとともに、検知空間内に煙がない状態でＬＥＤ８の光がフォトダイオードＰＤに入射することを防止するために入り組んだ光路を持つ複雑な構造を採用している。
【０００４】
この種の煙感知器Ａにおいては、図４（ｂ）に示すように、ハウジング２０内に収納された回路ブロック１に、フォトダイオードＰＤからの入力電流を電圧に変換して出力する電流電圧変換回路（ＩＶ変換回路）５が設けられている。さらに、電流電圧変換回路５の出力電圧を増幅回路１２とフィルタ回路１３とを通して判定処理部である発報判定回路１４に入力し、前記出力電圧の変化量が所定の火災判定レベルを超えると発報回路１５（ブザー等）で発報するように構成されている。なお、回路ブロック１には、各回路に電源供給する電源回路１６と、他の発報手段等を連動させる連動回路１７と、ＬＥＤ８と直列接続されたトランジスタＴｒ１（図５参照）を含みＬＥＤ８を周期的にパルス発光させるＬＥＤ駆動回路１８とが設けられている。
【０００５】
ここで用いられる電流電圧変換回路５は、たとえば図５に示すように演算増幅器ＯＰ１の反転入力端子と出力端子との間に変換抵抗Ｒ１を接続してなる構成を有し、この反転入力端子に入力電流Ｉｉｎが入力されると、入力電流Ｉｉｎの変動に応じて電圧値が変動する出力電圧Ｖｏｕｔを出力端子Ｔｏｕｔに出力するように構成される。図５の例では、非反転入力端子に基準電圧Ｖｓが印加されているので、変換抵抗Ｒ１の抵抗値をｒ１とすれば出力電圧Ｖｏｕｔは、Ｖｏｕｔ＝Ｖｓ−（Ｉｉｎ×ｒ１）で表される。要するに電流電圧変換回路５は、フォトダイオードＰＤがＬＥＤ８からの光を受光していない定常状態での出力電圧Ｖｏｕｔを動作点として、入力電流Ｉｉｎの変動に応じて動作点を基準に出力電圧Ｖｏｕｔを変動させることとなる。
【０００６】
また、近年では、設置が簡単であることから、電池を電源とした煙感知器Ａの需要が増えている。電池を煙感知器Ａの電源とする場合には、煙感知器Ａの平均消費電力を抑えて電池の長寿命化を図るため、煙感知器Ａを間欠駆動させる必要がある。この場合には、図６（ａ）に示す電流電圧変換回路５への電源供給も間欠的に行われることとなる。そのため、ＬＥＤ８は図６（ｂ）のように電流電圧変換回路５への電源供給が行われている間にパルス状の光を出力する。ここで、検知空間に煙が流入してフォトダイオードＰＤがＬＥＤ８からの光を受光すると、図６（ｃ）に実線で示すように電流電圧変換回路５の出力電圧Ｖｏｕｔの変化量ΔＶは大きくなり図中の火災判定レベルに達することとなる。一方、検知空間に煙がなければ、図６（ｃ）に破線で示すように出力電圧Ｖｏｕｔの変化量ΔＶは小さくなり、火災判定レベルに達することはない。
【０００７】
ところで、図５のような電流電圧変換回路５では、図７（ａ）に示すように演算増幅器ＯＰ１のダイナミックレンジが、演算増幅器ＯＰ１の電源電圧ＶＤＤとグランドＧＮＤとの間に規定されており、上述した出力電圧Ｖｏｕｔはこのダイナミックレンジの範囲内で変動する。そのため、入力電流Ｉｉｎがある大きさ以上になると出力電圧Ｖｏｕｔが飽和してしまう。
【０００８】
たとえば上述した煙感知器Ａにおいては、ラビリンス２１を設けてあるものの、検知空間を外部から完全には遮断することはできないので、フォトダイオードＰＤに対して僅かながら外乱光が入射することがある。通常、外乱光は時間的変動が小さく、フォトダイオードＰＤがこの外乱光を受光することによりフォトダイオードＰＤからは時間的変動の小さい電流（以下、「直流成分」という）が出力されることになる。そして、入力電流Ｉｉｎに含まれる直流成分がある大きさ以上になると、出力電圧Ｖｏｕｔが飽和する可能性がある。
【０００９】
すなわち、入力電流Ｉｉｎに直流成分が含まれていなければ、図７（ａ）のように出力電圧Ｖｏｕｔの動作点は基準電圧Ｖｓとなるから、入力電流Ｉｉｎの変動があれば出力電圧Ｖｏｕｔもこの変動に追従して変動するが、これに対して、入力電流Ｉｉｎに直流成分が含まれていると、図７（ｂ）に示すように出力電圧Ｖｏｕｔの動作点が低下し、入力電流Ｉｉｎが増加した場合に出力電圧Ｖｏｕｔが途中で飽和してしまう可能性がある。特に、直流成分が大きく、図７（ｃ）のように出力電圧Ｖｏｕｔの動作点がグランドＧＮＤ付近にまで低下している場合には、入力電流Ｉｉｎの変動によらず出力電圧Ｖｏｕｔが飽和状態にあり、入力電流Ｉｉｎの増加を出力電圧Ｖｏｕｔが追従することはない。
【００１０】
たとえば変換抵抗Ｒ１の抵抗値ｒ１を１ＭΩ、基準電圧Ｖｓを１Ｖとすると、入力電流Ｉｉｎが１μＡで変換抵抗Ｒ１の両端間の電圧降下は１Ｖとなり、その結果、出力電圧Ｖｏｕｔが０Ｖとなって飽和する。この状態では、フォトダイオードＰＤがＬＥＤ８からの光を受光して電流電圧変換回路５にパルス状の入力電流Ｉｉｎが入力されても、出力電圧Ｖｏｕｔは飽和しているからこれ以上変動することはなく、出力電圧Ｖｏｕｔの変化量ΔＶが火災判定レベルに達することなく失報となる可能性がある。
【００１１】
ただし、上述した煙感知器Ａではラビリンス２１により検知空間への外乱光の入射が防止されているので、一般的に、出力電圧Ｖｏｕｔが飽和するほど大きな直流成分が入力電流Ｉｉｎに含まれることはない。
【先行技術文献】
【特許文献】
【００１２】
【特許文献１】特許第２７８３９４５号公報（第１−２頁）
【発明の概要】
【発明が解決しようとする課題】
【００１３】
ところで、上述した煙感知器Ａにおいては、検知空間への外乱光の入射を防止するラビリンス２１の構造が複雑であり、ラビリンス２１の製造にかかるコストが煙感知器Ａ全体の低コスト化の妨げとなっているので、ラビリンス２１の構造を極力簡素化、あるいはラビリンス２１自体を省略することで、煙感知器Ａの低コスト化を図ることが要望されている。しかし、ラビリンス２１を簡素化あるいは省略すると、フォトダイオードＰＤで受光される外乱光が強くなり、入力電流Ｉｉｎに含まれる直流成分が大きくなって出力電圧Ｖｏｕｔが飽和してしまうことがある。特に、上述のように電池を煙感知器Ａの電源とする場合には、演算増幅器ＯＰ１の電源電圧が低く演算増幅器ＯＰ１のダイナミックレンジが比較的狭いため、出力電圧Ｖｏｕｔが飽和しやすくなる。
【００１４】
また、上述した構成の電流電圧変換回路５では、変換抵抗Ｒ１として抵抗値の小さいものを用いれば、入力電流Ｉｉｎが一定の場合における変換抵抗Ｒ１の両端間の電圧降下が小さくなり、出力電圧Ｖｏｕｔが飽和しにくくなるものの、変換抵抗Ｒ１自体の熱雑音は大きくなる。変換抵抗Ｒ１の熱雑音が大きくなれば、電流電圧変換回路５の入力換算ノイズが大きくなるため、当該ノイズと検出対象である信号成分との比（ＳＮ比）が低下して、正確な火災判定ができなくなるという問題があるので、変換抵抗Ｒ１の抵抗値はある程度大きく設定せざるを得ない。
【００１５】
本発明は上記事由に鑑みて為されたものであって、電流電圧変換回路の変換抵抗として抵抗値の小さいものを用いても正確な火災判定が可能となる煙感知器を提供することを目的とする。
【課題を解決するための手段】
【００１６】
請求項１の発明は、検知空間に向けて間欠的に光を出力する発光部と、発光部からの直接光は入射せず検知空間内に流入した煙により拡散反射された発光部からの光が入射する位置に配置され、光を受光して電流に変換する受光部と、受光部から入力される入力電流を当該入力電流の変動に応じて電圧値が変動する出力電圧に変換するセンサ出力処理部と、前記出力電圧に基づいて検知空間内の煙の有無を判定する演算処理部とを備え、センサ出力処理部が、反転入力端子と出力端子との間に変換抵抗が接続された演算増幅器を具備し、反転入力端子から入力される入力電流に応じた電圧を出力端子に出力する電流電圧変換回路を有しており、演算処理部が、発光部が光を出力する期間内に設定されているサンプリングタイミングで前記出力電圧の瞬時値を抽出し、複数回のサンプリングタイミングで抽出された瞬時値の平均値を求める平均化手段と、平均化手段で求めた平均値に基づいて検知空間内の煙の有無を判定する判定手段とを有することを特徴とする。
【発明の効果】
【００１７】
本発明は、平均化手段において、発光部が光を出力する期間内に設定されているサンプリングタイミングで出力電圧の瞬時値を抽出し、複数回のサンプリングタイミングで抽出された瞬時値の平均値を求めるので、各サンプリングタイミングで抽出される出力電圧の瞬時値にそれぞれノイズが含まれていても、複数の瞬時値の平均をとることで前記ノイズの影響を低減することができる。そして、判定手段においては、前記瞬時値の平均値に基づいて検知空間内の煙の有無を判定するので、１回のサンプリングタイミングで抽出される瞬時値に基づいて前記判定を行う場合に比べて、前記判定に対するノイズの影響を小さく抑えることができる。したがって、電流電圧変換回路の変換抵抗として抵抗値の小さいものを用いることで変換抵抗自体の熱雑音が大きくなったとしても、検知空間内の煙の有無を正確に判定することができる。そのため、変換抵抗として抵抗値の小さいものを用いることにより、受光部で受光される外乱光が強く入力電流に含まれる直流成分が比較的大きい場場合でも、当該直流成分による変換抵抗の両端電圧の電圧降下を小さく抑えて、出力電圧が飽和しにくい構成を採用することができる。その結果、受光部への外乱光の入射を防止する手段を簡素化あるいは省略することができるという利点がある。
【図面の簡単な説明】
【００１８】
【図１】本発明の実施形態１の構成を示す概略回路図である。
【図２】同上の動作を示す説明図である。
【図３】同上の煙感知器を示す斜視図である。
【図４】従来の煙感知器を示し、（ａ）は概略構成図、（ｂ）は回路ブロックのブロックである。
【図５】同上の電流電圧変換回路を示す概略回路図である。
【図６】同上の動作を示すタイムチャートである。
【図７】同上の出力電圧を示す説明図である。
【発明を実施するための形態】
【００１９】
（実施形態１）
本実施形態の煙感知器Ａは、図４に示した従来構成と同様にハウジング２０内に検知空間を有し、この検知空間に向けて間欠的にパルス状の光を出力する発光部と、発光部からの直接光が入射しない位置に配置され受光した光を電流に変換する受光部と、受光部からの入力電流に基づいて検知空間内の煙を検知する回路ブロック１とを備えている。この煙感知器Ａでは、検知空間内に煙が流入すると、発光部からの光が検知空間内の煙で拡散反射されることにより受光部での発光部からの光の受光量が増加し、受光部から出力される電流量が増加する。ここで例示する煙感知器Ａは電池を電源としており、平均消費電力を抑えて電池の長寿命化を図るために間欠駆動する。
【００２０】
本実施形態の回路ブロック１は、図１に示すように、受光部としてのフォトダイオードＰＤから入力される入力電流Ｉｉｎを当該入力電流Ｉｉｎの変動に応じて電圧値が変動する出力電圧Ｖｏｕｔに変換して出力するセンサ出力処理部２と、センサ出力処理部２の後段に設けられ前記出力電圧Ｖｏｕｔに基づいて検知空間内の煙の有無を判定する演算処理部３と、火災発生を報知する発報回路（ブザー等）４とを備えている。
【００２１】
センサ出力処理部２は、図１に示すように、入力端子Ｔｉｎから入力される入力電流Ｉｉｎを電圧信号に変換して出力する電流電圧変換回路５と、電流電圧変換回路５の出力に接続されたハイパスフィルタ６と、ハイパスフィルタ６を通過した前記電圧信号を増幅する電圧増幅回路７とを有する。
【００２２】
電流電圧変換回路５は、入力端子Ｔｉｎとなる演算増幅器ＯＰ１の反転入力端子と出力端子との間に変換抵抗Ｒ１が接続され、演算増幅器ＯＰ１の非反転入力端子に基準電圧Ｖｓ１が印加された構成を有する。電流電圧変換回路５の入力端子Ｔｉｎには、受光部としてのフォトダイオードＰＤが接続されており、フォトダイオードＰＤから入力電流Ｉｉｎが入力される。
【００２３】
ここに、本実施形態の電流電圧変換回路５は、変換抵抗Ｒ１に並列接続されたコンデンサＣ１を有しローパスフィルタとしても機能しており、所定のカットオフ周波数ｆｃ０以下の入力電流Ｉｉｎを通すように変換抵抗Ｒ１とコンデンサＣ１との回路定数が設定される。このカットオフ周波数ｆｃ０は、変換抵抗Ｒ１の抵抗値ｒ１とコンデンサＣ１の定数ｃ１とを用いてｆｃ０＝１／（２π×ｒ１×ｃ１）で表され、少なくともフォトダイオードＰＤが発光部としてのＬＥＤ８からの光を受光したときに生じるパルス状の入力電流Ｉｉｎを通すように設定される。
【００２４】
また、電流電圧変換回路５は上記構成により積分回路としても機能するため、その出力は、入力電流Ｉｉｎが変動すると所定の時間遅れをもって変動するように、入力電流Ｉｉｎの変化時点から時間経過に伴って電圧値を変化させることとなる。
【００２５】
ハイパスフィルタ６は、演算増幅器ＯＰ１の出力端子に接続されたコンデンサＣ２と抵抗Ｒ２との直列回路からなり、当該直列回路における演算増幅器ＯＰ１との反対側の端部（抵抗Ｒ２の一端部）が基準電圧Ｖｓ２に接続されている。ハイパスフィルタ６の出力は、コンデンサＣ２と抵抗Ｒ２との接続点から取り出される。ハイパスフィルタ６のカットオフ周波数ｆｃ１は、抵抗Ｒ２の抵抗値ｒ２とコンデンサＣ２の定数ｃ２とを用いてｆｃ１＝１／（２π×ｒ２×ｃ２）で表され、少なくともフォトダイオードＰＤがＬＥＤ８からの光を受光したときに生じるパルス状の電圧信号を通すように設定される。
【００２６】
電圧増幅回路７は、ハイパスフィルタ６の出力端（コンデンサＣ２と抵抗Ｒ２との接続点）に演算増幅器ＯＰ２の非反転入力端子を接続し、この演算増幅器ＯＰ２の反転入力端子に抵抗Ｒ３を介して基準電圧Ｖｓ２を加えるとともに、反転入力端子と出力端子との間に抵抗Ｒ４を接続して構成される。電圧増幅回路７で増幅された電圧は、出力電圧Ｖｏｕｔとして後段の演算処理部３に出力される。
【００２７】
センサ出力処理部２は、上記構成により、フォトダイオードＰＤからの入力電流Ｉｉｎがゼロの状態での出力電圧Ｖｏｕｔの瞬時値を動作点として、入力電流Ｉｉｎの変動に応じて動作点を基準に出力電圧Ｖｏｕｔを変動させることとなる。このとき、出力電圧Ｖｏｕｔの瞬時値は、入力電流Ｉｉｎの変動量に応じて変動する。
【００２８】
ここにおいて、本実施形態では、電流電圧変換回路５の変換抵抗Ｒ１として抵抗値が比較的小さいものを用いている。これにより、変換抵抗Ｒ１の抵抗値が大きい（たとえば１ＭΩ）ものに比べて、同じ大きさの入力電流Ｉｉｎが入力された場合に変換抵抗Ｒ１の両端間に生じる電圧降下が小さくなり、出力電圧Ｖｏｕｔが飽和しにくくなる。ただし、変換抵抗Ｒ１の抵抗値を小さくすると、変換抵抗Ｒ１自体の熱雑音が大きくなり、その結果、電流電圧変換回路５の入力換算ノイズが大きくなって、当該ノイズと検出対象である信号成分との比（ＳＮ比）が低下して、正確な火災判定ができなくなる可能性がある。
【００２９】
そこで、本実施形態では、演算処理部３として以下の構成を採用することにより、出力電圧Ｖｏｕｔに比較的大きなノイズが含まれている場合でも正確な火災判定を可能とする。
【００３０】
すなわち、演算処理部３は、ＬＥＤ８がパルス状の光を出力する期間（以下、センシング期間という）内に設定されているサンプリングタイミングで出力電圧Ｖｏｕｔの瞬時値を抽出し、複数回のサンプリングタイミングで抽出された瞬時値の平均値を求める平均化手段９と、当該平均値に基づいて検知空間内の煙の有無を判定する判定手段１０とを有している。
【００３１】
具体的に説明すると、平均化手段９は、サンプルホールド回路とＡＤ変換器と演算回路とからなり、センサ出力処理部２から受けた出力電圧Ｖｏｕｔの瞬時値をサンプルホールド回路で保持し、ＡＤ変換器にてデジタル値に変換してから平均化処理を行う。ここで、出力電圧Ｖｏｕｔのサンプリングタイミングは上述のようにセンシング期間内に設定されているため、フォトダイオードＰＤがＬＥＤ８からの光を受光している場合には、受光量に相当する信号成分が、ＡＤ変換器にて量子化された出力電圧Ｖｏｕｔの瞬時値に反映されることとなる。
【００３２】
演算回路では、このようにしてサンプリング（標本化）、量子化された出力電圧Ｖｏｕｔの瞬時値を一時記憶し、複数回のサンプリングタイミングで抽出された瞬時値についての平均値を求める。要するに、ＬＥＤ８はパルス状の光を間欠的に出力しているので、各センシング期間に１回ずつサンプリングタイミングが設定されていれば、ＬＥＤ８がＮ回発光する間に出力電圧Ｖｏｕｔの瞬時値がＮ回抽出される。したがって、これらＮ回（たとえば５回）に亘って抽出された出力電圧Ｖｏｕｔの瞬時値について平均をとることにより、複数回のサンプリングタイミングでの出力電圧Ｖｏｕｔの瞬時値の平均値が求まることになる。
【００３３】
しかして、各サンプリングタイミングで抽出される出力電圧Ｖｏｕｔの瞬時値にはそれぞれノイズが含まれていたとしても、複数回のサンプリングタイミングで抽出された出力電圧Ｖｏｕｔの瞬時値の平均値においては、前記ノイズの影響を低減することができる。たとえば各サンプリングタイミングの出力電圧Ｖｏｕｔに比較的大きなノイズが含まれている場合であっても、平均化後の出力電圧Ｖｏｕｔにおいては、図２のようにサンプリングの回数が１，２，３，・・・Ｎと増加するに従ってノイズの影響を低減することができる。Ｎ回分の出力電圧Ｖｏｕｔの瞬時値の平均をとれば、各サンプリングタイミングで抽出される出力電圧Ｖｏｕｔに含まれるノイズを１／（√Ｎ）に低減することができる。
【００３４】
判定手段１０は、上述のように平均化手段９で求まった平均値を所定の火災判定レベルと比較し、前記平均値が火災判定レベルに達していれば煙有り（火災と判断できる煙濃度に達している）と判定し、火災判定レベルに達していなければ煙なし（火災と判断できる煙濃度に達していない）と判定する。
【００３５】
判定手段１０での判定結果は発報回路４に送られ、火災発生時（つまり、煙有りとの判定時）には適宜の方法で報知される。なお、煙感知器Ａは上記判定結果を住宅情報盤などの外部装置に送るように構成されていてもよい。
【００３６】
以上説明した構成によれば、複数回のサンプリングタイミングで抽出された出力電圧Ｖｏｕｔの瞬時値の平均値に基づいて火災判定が為されるので、１回のサンプリングタイミングで抽出された出力電圧Ｖｏｕｔの瞬時値にノイズが含まれていても、当該ノイズの影響を殆ど受けることなく正確な火災判定を行うことができる。これにより、電流電圧変換回路５の変換抵抗Ｒ１として抵抗値が比較的小さいものを用いることができるのであって、その結果、出力電圧Ｖｏｕｔが飽和しにくくなるという利点がある。したがって、フォトダイオードＰＤへの外乱光の入射を防止する手段（図４（ａ）のラビリンス２１）を簡素化し、図３に示すように煙感知器Ａの薄型化等を図ることが可能となる。図３の煙感知器Ａは、ハウジング２０の前方（ハウジング２０を天井に取り付けた場合の下方）を検知空間として、フォトダイオードＰＤがこの検知空間に流入する煙で拡散反射したＬＥＤ８からの光を受光することで煙を感知する。
【００３７】
なお、上記実施形態では、フォトダイオードＰＤが光を受光したときに電流電圧変換回路５の入力端子Ｔｉｎに対して入力電流Ｉｉｎが流れ込む構成を前提として説明したが、入力端子Ｔｉｎに対する入力電流Ｉｉｎの向きを逆向きとし、フォトダイオードＰＤが光を受光したときに入力端子Ｔｉｎから入力電流Ｉｉｎが流れ出す構成（つまり、入力端子Ｔｉｎに負の入力電流Ｉｉｎが入力される構成）を前提としてもよい。この場合、電流電圧変換回路５がインピーダンス素子Ｚ１に流れる電流の供給源として機能する。
【００３８】
さらに、上記実施形態では、受光部としてフォトダイオードＰＤを例示したが、この例に限るものではなく、たとえばＣｄＳやサーミスタなどの素子を受光部に用いることもできる。すなわち、本発明の煙感知器Ａは、フォトダイオードＰＤのように自ら光起電力を生じる素子だけでなく、ＣｄＳやサーミスタのように自ら光起電力を生じない受動素子からなる受光部にも対応可能である。
【００３９】
また、上記サンプリングタイミングを含むサンプリング期間を設定し、複数回のサンプリング期間に検出される出力電圧Ｖｏｕｔの波形の平均をとり、当該波形の平均に基づいて火災判定を行うようにしてもよい。この場合、出力電圧Ｖｏｕｔの動作点からの変化量を火災判定レベルと比較することで、検知空間の煙の有無を判定することができる。
【符号の説明】
【００４０】
２  センサ出力処理部
３  演算処理部
５  電流電圧変換回路
８  ＬＥＤ（発光部）
９  平均化手段
１０  判定手段
Ａ  煙感知器
Ｉｉｎ  入力電流
ＯＰ１  演算増幅器
ＰＤ  フォトダイオード（受光部）
Ｒ１  変換抵抗
Ｖｏｕｔ  出力電圧
【図１】
2010160750.tif 000003
【図２】
2010160750.tif 000004
【図３】
2010160750.tif 000005
【図４】
2010160750.tif 000006
【図５】
2010160750.tif 000007
【図６】
2010160750.tif 000008
【図７】
2010160750.tif 000009